(57)【要約】      （修正有）【課題】移動手摺表面の温度上昇を抑え、エスカレータの利用者が移動手摺をつかんでも不快感や苦痛を与えることなく、快適に移動手摺をつかみ続けることを可能にする移動手摺冷却装置の提供。【解決手段】移動手摺冷却装置２７は、マンコンベア１のマンコンベア本体部３の上方に対向して立設される欄干９の周縁に案内されて降り口側に走行し、降り口側端部で反転して欄干の下部内部を乗り口側に走行し、乗り口側端部で反転して欄干の周縁に案内されて走行される無端状の移動手摺２２を冷却するためのものであり、欄干の下部内部に移動手摺の走行方向に延設され、該移動手摺が内部を走行する冷却用ダクト２９と、冷却用ダクトの一端に冷風ダクト３１を介して冷却風を供給し、該冷却用ダクトの内部を走行する移動手摺を冷却するエアコン２８と、を備える。【選択図】図１
2007238309.tif 000002
【特許請求の範囲】
【請求項１】
マンコンベアのマンコンベア本体部の上方に対向して立設される欄干の周縁に案内されて降り口側に走行し、降り口側端部で反転して上記欄干の下部内部を乗り口側に走行し、乗り口側端部で反転して上記欄干の周縁に案内されて走行される無端状の移動手摺を冷却するための移動手摺冷却装置であって、
上記欄干の下部内部に上記移動手摺の走行方向に延設され、該移動手摺が内部を走行する冷却用ダクトと、
上記冷却用ダクトの一端に冷風ダクトを介して冷却風を供給し、該冷却用ダクトの内部を走行する上記移動手摺を冷却するエアコンと、
を備えたことを特徴とする移動手摺冷却装置。
【請求項２】
上記エアコンは、その吸気口が上記冷却用ダクトの他端にリターンダクトを介して接続されていることを特徴とする請求項１記載の移動手摺冷却装置。
【請求項３】
表面温度センサが上記冷却用ダクト内に上記移動手摺の表面に接するように配設されて、
上記エアコンが、上記表面温度センサの出力信号に基づいて、上記移動手摺の温度が所望の温度となるように制御されることを特徴とする請求項１または請求項２記載の移動手摺冷却装置。
【発明の詳細な説明】
【技術分野】
【０００１】
この発明は、エスカレータなどのマンコンベアにおける移動手摺冷却装置に関するものである。
【背景技術】
【０００２】
従来のエスカレータは、多数の踏段を回転せしめる駆動機器を有するエスカレータ本体の左右上部に長手方向に亘り欄干が立設され、欄干に設けられた移動手摺が踏段と同期して回転駆動されている（例えば、特許文献１参照）。
【０００３】
【特許文献１】特開平４−２０４９７号公報
【発明の開示】
【発明が解決しようとする課題】
【０００４】
しかしながら、従来のエスカレータが屋外に設置され、夏期に移動手摺表面が直射日光に照らされるなどすると移動手摺表面の温度は著しく上昇され、移動手摺を把持するエスカレータの利用者に不快感や苦痛を与えていた。
【０００５】
この発明は、上記の課題を解決するためになされたものであり、移動手摺表面の温度上昇を抑え、エスカレータの利用者が移動手摺をつかんでも不快感や苦痛を与えることなく、快適に移動手摺をつかみ続けることを可能にする移動手摺冷却装置を得ることを目的とする。
【課題を解決するための手段】
【０００６】
この発明による移動手摺冷却装置は、マンコンベアのマンコンベア本体部の上方に対向して立設される欄干の周縁に案内されて降り口側に走行し、降り口側端部で反転して欄干の下部内部を乗り口側に走行し、乗り口側端部で反転して欄干の周縁に案内されて走行される無端状の移動手摺を冷却するためのものであり、欄干の下部内部に移動手摺の走行方向に延設され、該移動手摺が内部を走行する冷却用ダクトと、冷却用ダクトの一端に冷風ダクトを介して冷却風を供給し、該冷却用ダクトの内部を走行する移動手摺を冷却するエアコンと、を備えている。
【発明の効果】
【０００７】
この発明の移動手摺冷却装置によれば、移動手摺が、冷却用ダクトの内部を走行し、エアコンから吐き出される冷却風が、冷却用ダクトの一端に冷風ダクトを介して供給されるので、移動手摺が欄干の下部内部を走行する過程で冷却される。
従って、夏期の直射日光に照らされるなど、往側移動手摺の温度が上昇される条件化に配設されたエスカレータにおいて、エスカレータの利用者が移動手摺をつかんだ時でも、不快感や苦痛をなくすことができる。
【発明を実施するための最良の形態】
【０００８】
以下、この発明を実施するための最良の形態について、図面を参照して説明する。
図１はこの発明に係る移動手摺冷却装置を備えるエスカレータの構成を説明するための模式図、図２は図１においてエスカレータの乗り口付近の踏段および移動手摺を考慮せずにエスカレータ本体内部を透視した上面図、図３は図１のIII−III矢視断面図であり、図３は一側の欄干内部に設けられた第１の断熱ダクトの構成を示している。図４はこの発明に係る移動手摺冷却装置の蝶番の構成を説明するための斜視図、図５はこの発明に係る移動手摺冷却装置における第２および第３の断熱ダクトの構成を説明するための断面図、図６はこの発明に係る移動手摺冷却装置における第２および第３の断熱ダクトの構成を説明するための正面図である。
【０００９】
図１〜図６において、マンコンベアとしてのエスカレータ１において、マンコンベア本体部としてのエスカレータ本体部３の上下階側の内部には、それぞれ上階側スプロケット２ａおよび下階側スプロケット２ｂが配設されている。エスカレータ本体部３は詳細には図示しないが、エスカレータ１の骨組みとなるトラスと称されるフレームと、この側面に取り付けられた外側板となどにより中空体状に形成されている。
【００１０】
また、無端状の踏段チェーン４が、上階側スプロケット２ａおよび下階側スプロケット２ｂに掛け渡されて、走行自在に設けらている。踏段チェーン４には、踏段５が多数連続して掛止めされて、無端コンベア状に配列されている。エスカレータ本体部３の上階側には、上階側スプロケット２ａを介して踏段チェーン４と共に踏段５を回転走行せしめるモータ等の駆動機器６が設けられている。また、エスカレータ１の走行を制御するエスカレータ制御盤７が駆動機器６に近接して配設されている。ここで、踏段５は、下階側の乗り口８から乗車したエスカレータ１の利用者が上階側の降り口に運ばれる方向に回転走行されているものとする。
【００１１】
さらに、一対の欄干９が、コンベア状に配設された踏段５を挟むように対向してエスカレータ本体部３の上方に立設されている。
そして、手摺駆動装置１０が、両欄干９の下部内部に配設される。手摺駆動装置１０のそれぞれは、３つの駆動ローラ１１、３つのプレッシャローラ１２およびターミナルスプロケット１３を有している。なお、両ターミナルスプロケット１３は、両端をエスカレータ本体部３の外側板に固着されたカウンタシャフト（図示せず）に軸支されている。
【００１２】
そして、移動手摺スプロケット１４が上階側スプロケット２ａと同軸にかつ連動するように配設され、さらに、移動手摺スプロケット１４とターミナルスプロケット１３との間に第１の移動手摺チェーン１５ａが掛け渡されている。さらに、ターミナルスプロケット１３と駆動ローラ１１との間に第２の移動手摺チェーン１５ｂが掛け渡されている。
【００１３】
また、復路案内レール１６は、長尺の薄肉平板状の基部１７が長尺の厚肉平板状の支持片１８の一面に固着されて断面Ｔ状に形成されている。そして、各支持片１８の他面には、ボルト固定板１９の一端が固着されている。また、吊りボルト２０が、一端をエスカレータ本体部３のトラスに固定されて、それぞれ水平に、下階側から上階側に所定の間隔で配設されている。
【００１４】
そして、各ボルト固定板１９がその他端に切られたタップ（図示せず）に吊りボルト２０を締着して、復路案内レール１６がエスカレータ本体部３に固定支持されている。さらに、第１のボルト通し孔２１が、ボルト固定板１９のタップの一端側に形成されている。これにより、複数の復路案内レール１６が、それぞれ基部１７を下方に向けて、かつ互いに接するように一列に並んで、下階側から上階側に至るように両欄干９の下部内部に延設されている。ただし、手摺駆動装置１０の配設箇所には、復路案内レール１６は配設されていない。
【００１５】
そして、ゴムなどで形成される無端状の移動手摺２２が、欄干９の周縁に配設される案内レール（図示せず）および欄干９の下部内部の復路案内レール１６に沿って案内される。例えば、欄干９上で走行される移動手摺２２が案内レールに沿って降り口側まで案内されると、欄干９の降り口側端部の上階側反転部２５で反転されて、欄干９の内部に引きとおされる。欄干９内部で走行される移動手摺２２は、復路案内レール１６に沿って乗り口側まで案内されると、再度欄干９外部に出され、欄干９の乗り口側端部の下階側反転部２６で反転される。
ここで、移動手摺２２のうち、欄干９の外部の周縁の案内レールに沿って走行される部分を往側移動手摺２３とし、欄干９の内部で、復路案内レール１６に沿って走行される部分を復側移動手摺２４とする。
【００１６】
そして、復側移動手摺２４のそれぞれは、駆動ローラ１１とプレッシャローラ１２とで挟み込みまれ、表裏両面から押圧されている。そして、駆動機器６が駆動されると、第１および第２の移動手摺チェーン１５ａ，１５ｂが回転走行されるとともに駆動ローラ１１が回転されることにより、駆動ローラ１１およびプレッシャローラ１２との間に挟まれて押圧されている復側移動手摺２４は、駆動ローラ１１との摩擦力により踏段５と同期して回転走行される。
【００１７】
移動手摺冷却装置２７は、エアコン２８、冷却用ダクト２９、接続ダクト３０、冷風ダクト３１およびリターンダクト３２を備えている。
エアコン２８は吸気口（図示せず）、吐き出し口（図示せず）、ファン（図示せず）および制御部３３を備え、エスカレータ本体部３内部の下階側に配設される。そして、エアコン２８の吸気口から吸気された空気は冷却された後、ファンによって吐き出し口から吐き出される。
【００１８】
また、制御部３３は、エアコン２８を制御するプログラムなどが書き込まれるメモリ（図示せず）やプログラムに基づいてエアコン２８を制御するＣＰＵ（図示せず）などを有している。さらにメモリには、所望の設定温度が書き込まれており、制御部３３は後述する表面温度センサからの受信信号と設定温度とを比較した結果に基づいて、エアコン２８の運転の開始や停止などの制御やエアコン２８から吐き出される冷気の温度調節の制御を行う。
【００１９】
冷却用ダクト２９は、一側の冷却用ダクト２９Ａおよび他側の冷却用ダクト２９Ｂからなり、それぞれが復路案内レール１６の延設方向に沿って、かつ、復路案内レール１６を内包するように配設されている。
そして、一側の冷却用ダクト２９Ａは、第１〜第３の断熱ダクト３４Ａ〜３４Ｃから構成される。第２の断熱ダクト３４Ｂは、手摺駆動装置１０の下階側近傍および復路案内レール１６の下端部と上端部とに配設される。また、第３の断熱ダクト３４Ｃが、手摺駆動装置１０の上階側近傍に配設さる。そして、第１の断熱ダクト３４Ａが、復路案内レール１６の下端部の第２の断熱ダクト３４Ｂと手摺駆動装置１０の下階側近傍に配設される第２の断熱ダクト３４Ｂとの間および復路案内レール１６の上端部の第２の断熱ダクト３４Ｂと手摺駆動装置１０の上階側近傍に配設される第３の断熱ダクト３４Ｃとの間にそれぞれ一列に配列されて互いに隙間なく連結されている。
【００２０】
また、他側の冷却用ダクト２９Ｂは、対向する欄干９の中間点を通る鉛直面に対して、一側の冷却用ダクト２９Ａと対象に配設され、一側の冷却用ダクト２９Ａと同様に第１〜第３の断熱ダクト３４Ａ〜３４Ｃで構成される。
つまり、第３の断熱ダクト３４Ｃが、手摺駆動装置１０の下階側近傍および復路案内レール１６の下端部と上端部とに配設される。また、第２の断熱ダクト３４Ｂは、手摺駆動装置１０の上階側近傍に配設される。そして、第１の断熱ダクト３４Ａが、復路案内レール１６の下端部の第３の断熱ダクト３４Ｃと手摺駆動装置１０の下階側に配設される第３の断熱ダクト３４Ｃとの間および復路案内レール１６の上端部の第３の断熱ダクト３４Ｃと手摺駆動装置１０の上階側に配設される第２の断熱ダクト３４Ｂとの間にそれぞれ一列に配列されて互いに隙間なく連結されている。
【００２１】
そして、冷風ダクト３１は、その一端がエアコン２８の吐き出し口に接続され、他端が分岐して、それぞれ一側の冷却用ダクト２９Ａの下端（一端）の第２の断熱ダクト３４Ｂと、他側の冷却用ダクト２９Ｂの下端（一端）の第３の断熱ダクト３４Ｃとに接続されている。
また、リターンダクト３２は、その一端がエアコン２８の吸気口に接続され、他端が分岐して、その一方が一側の冷却用ダクト２９Ａの下側を通り、上端（他端）の第２の断熱ダクト３４Ｂと接続され、他方が他側の冷却用ダクト２９Ｂの下方を通り上端（他端）の第３の断熱ダクト３４Ｃと接続されている。また、一側の冷却用ダクト２９Ａおよび他側の冷却用ダクト２９Ｂにおいて、手摺駆動装置１０の上下階側近傍に配設される第２の断熱ダクト３４Ｂと第３の断熱ダクト３４Ｃとの間がそれぞれ接続ダクト３０によって接続されている。
【００２２】
第１の断熱ダクト３４Ａは、図３に示されるように、第１の半ダクト３５ａ、第２の半ダクト３６ａ、蝶番３７およびネジ３８を備えている。また、第１の半ダクト３５ａと第２の半ダクト３６ａは同じ構成である。
第１の半ダクト３５ａおよび第２の半ダクト３６ａのそれぞれは、断熱材部３９および断熱材部３９の外壁を覆って配設される断熱材把持部４０を有している。
【００２３】
断熱材部３９は、矩形平板状のスチールを断面コの字に折り曲げて形成される。
断熱材把持部４０は、矩形平板状のアルミ板を断面コの字に折り曲げて形成され、断面コの字の対向する二辺の一辺の先端側が直角に折り曲げられて、該一辺からＬ字状に外方に延出する延出部４１が形成されている。この延出部には第１のボルト通し孔２１に対応する第２のボルト通し孔４２が形成されている。
【００２４】
また、断熱材把持部４０の断面コの字の対向する二辺における他辺の近傍には、蝶番３７をネジ３８で固定するための２つのタップ（図示せず）が形成されている。
また、断熱材把持部４０のサイズは断熱材部３９より大きめに形成され、断熱材部３９の外壁が断熱材把持部４０の内壁に密接状態に、かつ、開口面を同一方向に向けて嵌め込まれている。
【００２５】
蝶番３７は、図４に示されるように、第１の回動片４１、第２の回動片４２、ネジ部４３およびナット４４で構成される。
第１の回動片４１は矩形平板状の接続片４５ａと、接続片４５ａの長辺に沿った側壁に長辺と軸を平行にして固着される第１の円筒部４６ａとで構成される。このとき第１の円筒部４６ａは、接続片４５ａの長辺に沿った側壁の下部半分に固着される。
第２の回動片４２は矩形平板状の接続片４５ｂと、接続片４５ｂの長辺に沿った側壁に長辺と軸を平行にして固着される第２の円筒部４６ｂとで構成される。このとき第２の円筒部４６ｂは、接続片４５ｂの長辺に沿った側壁の上部半分に固着される。
【００２６】
そして、ネジ部４３が、同軸に合わされた第１の円筒部４６ａおよび第２の円筒部４６ｂに遊嵌状態に挿入されて、さらにネジ部４３の先端には、ネジ部４３が第１の円筒部４６ａおよび第２の円筒部４６ｂから抜け落ちないように、ナット４４が取り付けられている。これにより、第１の回動片４１と第２の回動片４２はネジ部４３の軸周りに回動自在となる。このとき、ネジ部４３の頭およびナット４４が接続片４５ａ，４５ｂの端面から突出しないように、接続片４５ａ，４５ｂにおけるネジ部４３およびナット４４の装着部分があらかじめ切り欠かれている。
また、接続片４５ａ，４５ｂのそれぞれには、貫通孔４７ａ〜４７ｄが接続片４５ａ，４５ｂの長辺の長さ方向に沿って２箇所形成されている。
【００２７】
そして、第１の半ダクト３５ａおよび第２の半ダクト３６ａの断熱材把持部４０に２つずつ形成されたタップに接続片４５ａ，４５ｂに形成された貫通孔４７ａ〜４７ｄを対応させ、ネジ３８を螺合させて固定することにより、蝶番３７が第１の半ダクト３５ａおよび第２の半ダクト３６ａにまたがって固定される。これにより、第１の半ダクト３５ａおよび第２の半ダクト３６ａは蝶番３７のネジ部４３を軸として、回動自在となる。
【００２８】
また図５に示されるように、第２の断熱ダクト３４Ｂの第１の半ダクト３５ｂは、第１の半ダクト３５ａにおいて、断熱材把持部４０および断熱材部３９を貫通する通気孔４８が断面コの字の底辺に形成されている。そして、通気孔４８の内径と同じ内径を有する筒状の接続筒部４９が、その開口面を通気孔４８の開口面と合わせた状態に断熱材把持部４０と一体に形成され、断面コの字の底辺から外方に突出されている。さらに、図６に示されるように、第１の半ダクト３５ｂおよび第２の半ダクト３６ａの断面コの字の開口部を合わせて筒状体とした時に、第１の半ダクト３５ｂと第２の半ダクト３６ａとで協働して形成される開口面のうち、一面側が塞口されており、かつ、該塞口面の中央部が切り欠かかれて復路案内レール１６および復側移動手摺２４の挿通部が確保されている。なお、第２の断熱ダクト３４Ｂの他の構成は第１の断熱ダクト３４Ａと同様に構成される。
【００２９】
また、第３の断熱ダクト３４Ｃは、第２の断熱ダクト３４Ｂにおいて、第１の半ダクト３５ｂおよび第２の半ダクト３６ａの断面コの字の開口部を合わせて筒状体とした時に、第１の半ダクト３５ｂと第２の半ダクト３６ａとで協働して形成される開口面のうち、他面側が塞口されており、かつ、該塞口面の中央部が切り欠かかれて復路案内レール１６および復側移動手摺２４の挿通部が確保されている。なお、第３の断熱ダクト３４Ｃの他の構成は第２の断熱ダクト３４Ｂと同様に構成される。
【００３０】
また、冷却用ダクト２９を構成する第１〜第３の断熱ダクト３４Ａ〜３４Ｃのそれぞれは、蝶番３７を復側移動手摺２４の下面側に配設した状態で復路案内レール１６および復側移動手摺２４を内包している。また、第１〜第３の断熱ダクト３４Ａ〜３４Ｃのボルト固定板１９が第１の半ダクト３５ａ，３５ｂと第２の半ダクト３６ａの延出部４１の間に挟み込まれている。そして、対応するボルト固定板１９の第１のボルト通し孔２１と延出部４１の第２のボルト通し孔４１にはボルト５０が挿入されて、さらにボルト５０はナット５１で締結されており、延出部４１とボルト固定板１９との間が固定されている。上述の通り、ボルト固定板１９は、エスカレータ本体部３に固定されているので、冷却用ダクト２９がエスカレータ本体部３に固定される。
【００３１】
ここで、一側の冷却用ダクト２９Ａにおいて、一側の冷却用ダクト２９Ａの下端に配設される第２の断熱ダクト３４Ｂは、接続筒部４９の開口面を他側の欄干９側に向けて配設され、他の第２の断熱ダクト３４Ｂおよび第３の断熱ダクト３４Ｃは、接続筒部４９の開口面を他側の欄干９とは反対側に向けて配設されている。
このとき、手摺駆動装置１０の上下階側にそれぞれ配設される第２の断熱ダクト３４Ｂおよび第３の断熱ダクト３４Ｃの塞口面が向かい合い、かつ一側の冷却用ダクト２９Ａの上端部および下端部に配設した第２の断熱ダクト３４Ｂの塞口面はそれぞれ移動手摺２２の走行方向の欄干９の外部側に向けられる。
【００３２】
また、他側の冷却用ダクト２９Ｂにおいて、他側の冷却用ダクト２９Ｂの下端に配設される第３の断熱ダクト３４Ｃは、接続筒部４９の開口面を一側の欄干９側に向けて配設され、他の第２の断熱ダクト３４Ｂおよび第３の断熱ダクト３４Ｃは、接続筒部４９の開口面を一側の欄干９とは反対側に向けて配設されている。
このとき、手摺駆動装置１０の上下階側にそれぞれ配設される第２および第３の断熱ダクト３４Ｂ，３４Ｃの塞口面が向かい合い、かつ他側の冷却用ダクト２９Ｂの上端部および下端部に配設した第３の断熱ダクト３４Ｃの塞口面はそれぞれ移動手摺２２の走行方向の欄干９の外部側に向けられる。
【００３３】
また、第１〜第３の断熱ダクト３４Ａ〜３４Ｃの復路案内レール１６に沿った配設間隔は上述したボルト固定板１９および吊りボルト２０の配設間隔と一致されており、その間隔は３０ｃｍとなっている。さらに、第１〜第３の断熱ダクト３４Ａ〜３４Ｃの復路案内レール１６の延設方向におけるそれぞれの長さは、３０ｃｍに形成されている。これにより、隣接する第１〜第３の断熱ダクト３４Ａ〜３４Ｃの間は隙間なく連結される。
【００３４】
次に、第２の断熱ダクト３４Ｂおよび第３の断熱ダクト３４Ｃと冷風ダクト３１、リターンダクト３２および接続ダクト３０との接続について説明する。
冷風ダクト３１、接続ダクト３０、リターンダクト３２は、アルミなどの材料により接続筒部４９の内径と同じ内径を有する筒状に形成されている。そして、例えば、図５、図６は一側の冷却用ダクト２９Ａの下端に配設された第２の断熱ダクト３４Ｂに、冷風ダクト３１が接続されている状態を示している。第２の断熱ダクト３４Ｂと冷風ダクト３１との間は、第２の断熱ダクト３４Ｂの接続筒部４９の開口面と冷風ダクト３１の開口面とが合わせられて、防水性のあるテープ５２などを巻きつけて接続される。
【００３５】
また、図３に示されるように、第２の断熱ダクト３４Ｂと接続ダクト３０との間の接続も同様に、第２の断熱ダクト３４Ｂの接続筒部４９の開口面と接続ダクト３０の開口面とが合わせられて、防水性のあるテープ５２などを巻きつけて接続される。
【００３６】
また、詳細には図示しないが、第１〜第３の断熱ダクト３４Ａ〜３４Ｃと冷風ダクト３１、接続ダクト３０、リターンダクト３２との間の他の接続部についても同様にテープ５２を用いて接続されている。
【００３７】
また、図６に示されるように、一側の冷却用ダクト２９Ａの下端に配設される第２の断熱ダクト３４Ｂの内部には、表面温度センサ５３が、復側移動手摺２４に接するように固定されて、復側移動手摺２４の表面温度を検出することが可能になっている。そして、一端が表面温度センサ５３に接続された電気配線５４の他端が、第２の断熱ダクト３４Ｂにおいて、断面コの字の第１の半ダクト３５ｂの底辺に形成された通配線孔５５を介して第２の断熱ダクト３４Ｂの外部に取り出されて、エアコン２８に接続されている。そして、表面温度センサ５３の出力信号がエアコン２８の制御部３３で受信される。
【００３８】
次に、移動手摺冷却装置２７が備えられたエスカレータ１の動作について説明する。
エスカレータ１の運転が開始されると、エアコン２８の制御部３３では、表面温度センサ５３の信号を受信し、メモリに書きこまれた設定温度以上に復側移動手摺２４の温度が上昇しているかどうかの判断を行う。設定温度は人の体温に近い３５度〜４０度が好ましく、例えば３７度に設定する。制御部３３が設定温度の３７度以上に復側移動手摺２４の温度が上昇していると判断した場合、エアコン２８の運転を開始させ、冷却風を冷風ダクト３１に吐き出させる。例えば、エアコン２８から吐き出される冷却風の温度は１５度に設定しておく。
【００３９】
そして、エアコン２８のファンによって吐き出し口から吐き出される冷却風は、冷風ダクト３１から両冷却用ダクト２９Ａ，２９Ｂに導かれ、両冷却用ダクト２９Ａ，２９Ｂおよび接続ダクト３０内を流通した後、リターンダクト３２を介してエアコン２８の吸気口に戻されるように循環する。
【００４０】
この発明の移動手摺冷却装置２７では、冷却用ダクト２９が欄干９の下部内部の復路案内レール１６を内包するように配設されるので、復側移動手摺２４が、冷却用ダクト２９の内部で走行される。さらに、エアコン２８から吐き出される冷却風が、冷却用ダクト２９の一端に冷風ダクト３１を介して供給されるので、復側移動手摺２４が欄干９の下部内部を走行する過程で冷却される。従って、往側移動手摺２３表面の温度上昇も抑えられる。
また、冷風ダクト３１、冷却用ダクト２９、接続ダクト３０、リターンダクト３２が、エアコン２８から吐き出される冷却風を吐き出し口と吸入口との間で循環するように配設されている。
【００４１】
また、復側移動手摺２４の表面に接するように設けられた表面温度センサ５３の温度検出値がエアコン２８の制御部３３で受信され、制御部３３は、受信された検出値が所定の温度設定値以上に上昇したと判断したら、エアコン２８から冷却風を吐き出すように制御し、制御部３３が設定温度以上に復側移動手摺２４の温度が上昇していないと判断したら、エアコン２８の運転は停止される。つまり、エアコン２８は、表面温度センサ５３の出力信号に基づいて移動手摺２２の温度が所望の温度となるように自動的に冷却風の吐き出し開始や停止の制御を行うようになっている。
【００４２】
従って、この発明の移動手摺冷却装置２７によれば、夏期の直射日光に照らされるなど、往側移動手摺２３の温度が上昇される条件化に配設されたエスカレータ１において、エスカレータ１の利用者が移動手摺２２（往側移動手摺２３）をつかんだ時でも、不快感や苦痛をなくすことができる。このとき、冷却風の温度は、復側移動手摺２４の温度を吸熱しても、外気より上昇されることはないので、リターンダクト３２を配設して、冷却風を循環させたことにより、エアコン２８の電力消費を低く抑えることができる。また、復側移動手摺２４を冷却不要なときには、エアコン２８の運転は開始されないので、さらに消費電力を低く抑えることができる。
【００４３】
さらにまた、復側移動手摺２４をメンテナンスする場合、冷却用ダクト２９の第１〜第３の断熱ダクト３４Ａ〜３４Ｃは、それぞれの第１の半ダクト３５ａ，３５ｂと第２の半ダクト３６ａの回動作業やボルト５０とナット５１による締結または取り外し作業を行うだけで、容易に脱着することができるので、復側移動手摺２４のメンテナンスを速やかに行うことができる。
【００４４】
なお、上記実施の形態ではマンコンベアとしてエスカレータ１を例にあげて説明したが、動く歩道などのマンコンベアにも本発明を適用できる。
また、冷却用ダクト２９は、手摺駆動装置１０の配設箇所を除いた復路案内レール１６を内包して配設されるものとして説明したが、移動手摺２２を所望の温度まで冷却することが可能であれば、復路案内レール１６の一端または他端と手摺駆動装置１０との間の復路案内レール１６のみを内包するように配設してもよい。この場合、接続ダクト３０を配設する必要がなくなる。
また、エアコン２８をエスカレータ本体部３の下階側に配設するものとして説明したが、下階側に配設するものに限定されるものではなく、上階側にスペースがあれば上階側に配設していもよい。
【００４５】
また、表面温度センサ５３は、一側の冷却用ダクト２９Ａの下端に配設した第２の断熱ダクト３４Ｂの内部に配設されるものとして説明したが、第２の断熱ダクト３４Ｂの内に配設されるものに限定されるものではなく、第１〜第３の断熱ダクト３４Ａ〜３４Ｃ内で復側移動手摺２４に接した状態に適宜配設位置を決定すればよい。
また、表面温度センサ５３の検出温度が所望の温度設定値以上になった場合にエアコン２８の運転が開始されるものとして説明したが、表面温度センサ５３を配設するものに限定されるものではなく、常時エアコン２８を稼動させるなどして復側移動手摺２４を冷却してもよい。
【００４６】
また、断熱材部３９の材料にはスチールを用いるものとして説明したが、スチールを用いることに限定されるものではなく、他の金属、プラスチックおよび発砲スチロールなどの材料を用いても良い。
また、断熱材把持部４０にはアルミニウムを用いるものとして説明したが、アルミニウムを用いるものに限定されるものではなく、他の金属、ステンレスなどの合金およびプラスチックなどを用いても良い。
【００４７】
またエアコン２８から吐出される冷気は１５度に設定されるものとして説明したが、１５度に設定されることに限定されるものではなく、復側移動手摺２４の表面温度や、その日の外気温度に応じて適宜設定すればよい。
また、踏段５は、下階側の乗り口８から乗車したエスカレータ１の利用者が上階側に運ばれる方向に回転走行されているものとして説明したが、このものに限定されるものではなく、上階側の乗り口から乗車したエスカレータ１の利用者が下階側に運ばれる方向にエスカレータを回転走行してもよい。
【図面の簡単な説明】
【００４８】
【図１】この発明に係る移動手摺冷却装置を備えるエスカレータの構成を説明するための模式図である。
【図２】図１においてエスカレータの乗り口付近の踏段および移動手摺を考慮せずにエスカレータ本体内部を透視した上面図である。
【図３】図１のIII−III矢視断面図である。
【図４】この発明に係る移動手摺冷却装置の蝶番の構成を説明するための斜視図である。
【図５】この発明に係る移動手摺冷却装置における第２および第３の断熱ダクトの構成を説明するための断面図である。
【図６】この発明に係る移動手摺冷却装置における第２および第３の断熱ダクトの構成を説明するための正面図である。
【符号の説明】
【００４９】
１  エスカレータ（マンコンベア）、３  エスカレータ本体部（マンコンベア本体部）、２２  移動手摺、２７  移動手摺冷却装置、２８  エアコン、２９  冷却用ダクト、３１  冷風ダクト、３２  リターンダクト、５３  表面温度センサ。
【図１】
2007238309.tif 000003
【図２】
2007238309.tif 000004
【図３】
2007238309.tif 000005
【図４】
2007238309.tif 000006
【図５】
2007238309.tif 000007
【図６】
2007238309.tif 000008